(57)【特許請求の範囲】
【請求項１】
用紙を送るセパレートローラを有する上部フレームと、前記上部フレームを開放したときに露出する中間フレームと、前記中間フレームに支持されたリタードローラとを備えた用紙搬送装置であって、
前記中間フレームは、上カバーとフレーム枠体とからなり、前記上カバーをフレーム枠体に対して着脱可能に設けたことを特徴とする用紙搬送装置。
【請求項２】
前記中間フレームには、前記リタードローラと搬送ローラ装置の駆動ローラと、排出ローラ装置の駆動ローラとを有し、
前記各ローラは、前記フレーム枠体に支持されることを特徴とする請求項１に記載の用紙搬送装置。
【請求項３】
前記リタードローラは、中間フレームに設ける支点を中心にして揺動する揺動ブラケットに支持され、
前記リタードローラは前記揺動ブラケットに対して着脱可能に設けられたことを特徴とする請求項１または２に記載の用紙搬送装置。
【発明の詳細な説明】
【０００１】
【発明の属する技術分野】
本発明は、画像読取装置に設ける用紙搬送装置に関し、中間フレームのフレーム枠体に駆動ローラ部材を配置し、そのフレーム枠体を覆う上カバーを着脱可能に設けることにより、ローラに対するメンテナンスを容易に行い得るようにした用紙搬送装置に関する。
【０００２】
【従来の技術】
画像形成装置等に設ける画像読取装置においては、原稿搬送路を横向きのＵ字状に形成し、原稿トレイと排出トレイとを上下に重ねる状態に配置して、搬送装置を構成する方式のものが用いられる。前記用紙搬送装置においては、原稿トレイから原稿を送り出すためのピックアップローラを原稿トレイの端部に位置させて配置し、前記ピックアップローラにより取り出された用紙を用紙さばき装置により１枚ずつ分離し、画像読取装置の読取部に向けて送り込むように構成している。
【０００３】
前記画像読取装置を小型化したものとして構成し、フラットベッドスキャナー機構（ＦＢＳ）と組み合わせて、画像形成装置の上部に配置する場合等には、前記画像読取装置の用紙搬送路を略Ｕ字状に形成し、用紙を非常に小さい半径で湾曲させて送る機構の装置として構成することが必要となる。前記Ｕ字状に構成する搬送路では、中間フレームの周囲にガイドを設けて用紙の案内を行うように構成し、前記中間フレームには用紙さばき装置のリタードローラを支持させて、上部フレームに配置するセパレートローラと対向させて配置し、両ローラの間で所定の値のニップ圧力を設定するようにしている。また、読取りが終了した原稿を排出トレイに送り出すために、前記用紙搬送路の終端部に排出ローラ装置を配置し、前記排出ローラ装置により送り出された原稿を、順次上に積重ねるようにしている。
【０００４】
【発明が解決しようとする課題】
前記画像読取装置の用紙搬送路には、用紙さばき装置と搬送ローラ装置、および排出ローラ装置と、複数のローラ装置があり、それ等のローラに対して各々別系統の駆動機構を配置することは、装置の設計上の制約条件が多くなるという問題がある。また、前記リタードローラが破損したり、摩耗して用紙の分離性能が低下した場合には、リタードローラの交換の必要が出てくる。ところが、従来の用紙搬送装置では、リタードローラが装置に組み付けられており、リタードローラを交換するために、前記リタードローラの周囲にある駆動伝達用のギヤや他のローラ等を取り外す必要があり、そのため用紙搬送装置を分解しなければならず、リタードローラの交換やメンテナンスに非常に手間がかかるという問題があった。
【０００５】
本発明は、用紙搬送装置に設ける中間フレームにおいて、中間フレームをフレーム枠体と上カバーとで構成し、中間フレームに配置されるリタードローラの交換や、駆動伝達ギヤ群のメンテナンスが容易にできる装置を提供することを目的としている。
【０００６】
【課題を解決するための手段】
本発明は、用紙を送るセパレートローラを有する上部フレームと、前記上部フレームを開放したときに露出する中間フレームと、前記中間フレームに支持されたリタードローラとを備えた用紙搬送装置に関する。本発明の請求項１の発明は、前記中間フレームは、上カバーとフレーム枠体とからなり、前記上カバーをフレーム枠体に対して着脱可能に設けたことを特徴とする。したがって、中間フレームの上カバーを容易に取り外すことができ、上カバーを外した状態でリタードローラの着脱作業を行うことができる。
【０００７】
請求項２の発明は、前記中間フレームには、前記リタードローラと搬送ローラ装置の駆動ローラと、排出ローラ装置の駆動ローラとを有し、前記各ローラは、前記フレーム枠体に支持されることを特徴とする。そして、中間フレームに配置される駆動ローラ部材がフレーム枠体に支持されていることから、上カバーの着脱を容易に行うことができる。
【０００８】
請求項３の発明は、前記リタードローラは、中間フレームに設ける支点を中心にして揺動する揺動ブラケットに支持され、前記リタードローラは前記揺動ブラケットに対して着脱可能に設けられたことを特徴とする。よって、リタードローラを揺動ブラケットとしての伝導用リンクから容易に着脱でき、中間フレームの上側から取付・取外しが可能である。
【０００９】
【発明の実施の形態】
図示される例にしたがって、本発明の用紙搬送装置を説明する。図１においては、ファクシミリ装置や画像形成装置と組み合わせて使用し、原稿の画像の読取りに用いられる自動原稿搬送装置（ＡＤＦ）１を例にして説明している。前記自動原稿搬送装置１においては、横向きの略Ｕ字状に構成した搬送路を通して用紙の搬送を行うもので、前記搬送路としては、挿入口１４ａからの搬送路１４と、湾曲路２０、および、排出トレイ９２に接続される排出路２４からなり、湾曲路２０の下部に配置しているプラテン２３の位置で、読取り装置により原稿の画像の読取りを行うように構成している。前記自動原稿搬送装置１においては、画像形成装置の上部に配置する基部フレーム２に対して、中間フレーム３０と上部フレーム３とをそれぞれ組み合わせて設けており、前記上部フレーム３は支軸４を中心に揺動可能に設け、中間フレーム３０を搬送ローラ装置１５の駆動ローラ１７の軸１８を中心にして揺動可能に設けている。
【００１０】
前記図１に示す例において、用紙搬送路内で用紙の搬送を行うために、用紙挿入口１４ａに位置させるピックアップローラ５と、用紙さばき装置１０、搬送ローラ装置１５、大径駆動ローラ２１と複数のピンチローラ２２、２２ａおよび、排出ローラ装置２５とを配置している。前記各ローラのうち、前記上部フレーム３には、トレイから用紙を取り込むためのピックアップローラ５と、用紙さばき装置１０のセパレートローラ１１、搬送ローラ装置１５のピンチローラ１６と、大径駆動ローラ２１に対するピンチローラ２２を設けている。また、前記２つのピンチローラ１６、２２は、上部フレーム３に配置するステイ７に支持されるローラ支持フレーム８に対して、図示を省略した付勢用のスプリングと支持アーム部材とを介して装着され、対応する各駆動ローラに対して一定の押圧力で押圧される。さらに、前記上部フレーム３には、湾曲路２０の大径ローラ２１に対向するガイド板９を配置して、前記湾曲路２０における用紙の案内を行わせる。
【００１１】
前記中間フレーム３０には、原稿トレイ９１に接続される用紙挿入口１４ａの下ガイド部材である上カバー３５と、用紙さばき装置１０のリタードローラ１２、搬送ローラ装置１５の駆動ローラ１７および、排出ローラ装置２５の駆動ローラ２７とを設けている。また、前記基部フレーム２には、用紙搬送路６の湾曲路２０で搬送作用を行うための大径駆動ローラ２１とピンチローラ２２、２２ａおよび、排出ローラ装置２５のピンチローラ２６とを配置し、前記基部フレーム２には読取部と排出側の搬送路のガイド板部材を配置している。そして、前述したような構成を有する装置では、用紙搬送路内での用紙のジャム処理や搬送ローラ装置１５のニップ部のニップ圧力の調整、その他のメンテナンスを行う際に、上部のフレーム３と中間フレーム３０とを順次開放することにより用紙搬送路を開放したり、用紙搬送装置の各構成部材を露出させるようにして、作業を行うことができるようにする。
【００１２】
前記自動原稿搬送装置１においては、用紙搬送路に沿って用紙の搬送を行うために、用紙挿入口１４ａに位置するトレイに対応させて、ピックアップローラ５をアーム６により揺動可能に配置し、前記ピックアップローラ５により用紙を取り込んで、用紙さばき装置１０を介して搬送路１４に向けて送り込むようにする。そして、用紙さばき装置１０のセパレートローラ１１とリタードローラ１２との間で用紙に対するさばき作用を付与し、１枚の用紙のみを搬送ローラ装置１５に向けて送り込む。前記搬送ローラ装置１５により搬送される用紙は、用紙搬送路の湾曲路２０で大径駆動ローラ２１とピンチローラ２２の間でニップされて、プラテン２３の読取部を通過し、ピンチローラ２２ａとのニップ部を通って、排出路２４から駆動ローラ２７とピンチローラ２６を対向させて設けた排出ローラ装置２５を介して、排出トレイ９２に向けて送り出される。
なお、前記搬送路１４と湾曲路２０の間には、搬送ローラ装置１５の駆動軸１８を介して配置する支持部材７７を用いて、先端部にフィルム部材７６を設けたガイド部材７５を設け、搬送ローラ装置１５から送り出される用紙を、大径搬送ローラ２１に沿わせるようにして案内する。また、前記用紙さばき装置１０のリタードローラ１２に対しては、セパレートローラ１１との間でのニップ圧力の調整を行うために、押圧力調整手段５０（図２を参照）を配置しており、給紙装置における用紙さばき作用の実施状態に応じて、両ローラの間でのニップ圧力を調整できるようにしている。
【００１３】
図２には、前記自動原稿搬送装置１に配置する中間フレーム３０の構成を示しているもので、中間フレーム３０を板金で構成したフレーム枠体３１と、その上部に配置する上カバー３５とを組み合わせて構成している。前記上カバー３５は、搬送路１４のガイド板として設けられているもので、前記中間フレーム３０は、搬送ローラ装置１５の駆動ローラ１７の軸１８を中心にして揺動可能に設けている。前記中間フレーム３０に配置するリタードローラ１２に対する駆動を行うために、軸１８に対して揺動可能に設けた揺動ブラケットとしての伝導用リンク４０を介して伝導ギヤ群４２を配置し、搬送ローラ装置の駆動ローラ１７の軸１８に設けたギヤから、前記ギヤ群４２を介して駆動伝達を行う。前記搬送ローラ装置１５の駆動ローラ１７の軸に伝達される駆動力を、前記伝導ギヤ群４２を介して、端部の出力ギヤからリタードローラ１２の軸１３に設けたギヤに噛合せて、リタードローラ１２に対する駆動伝達を行う。そして、用紙さばき作用を行う際に、セパレートローラ１１による用紙搬送方向に対して、リタードローラ１２を逆方向に回転させる。
【００１４】
前記セパレートローラ１１の軸に対してリタードローラ１２の軸芯を一致させるように位置決めするために、図４等に示すように、前記リタードローラ１２の軸１３の両端部に配置する軸受６１、６１ａを、フレーム本体に設けた軸支部材４８、４８ａに支持させる。そして、伝導用リンク４０に設けられたピン４５と中間リンク６５に設けられた軸支部６８とにより、伝導用ギヤ群４２の出力ギヤと、リタードローラ１２の軸１３に設ける入力ギヤとの噛み合い位置が設定され、リタードローラ１２に対する駆動伝達を良好に行い得るようにする。また、前記軸１３を位置決めする手段と、軸１３の両端部の軸受６１を本体軸支部材４８により支持する手段を用いることにより、リタードローラ１２がセパレートローラ１１に接する押圧位置を、常に一定の位置に設定可能となり、用紙さばき装置１０の両ローラ１１、１２が用紙をニップする位置が変化することがない。
【００１５】
前記伝導用リンク４０に加えて、リタードローラ１２のセパレートローラ１１に対する押圧力を設定するために、図２および図３に示すような押圧力調整部材５０を設けており、調整用リンク５１と押圧板５５とを組み合わせて、ねじ部材（リタードピン）５８とスプリング５９とにより押圧力の調整を行うようにする。前記調整用リンク５１は伝導用リンク４０を揺動させる軸支部４１とに対して、リタードローラ１２の軸１３を介して反対側に配置されるもので、排出ローラ装置２５の駆動ローラ２７の軸２８を軸支部５３とし、中間フレーム３０のトレイ側に突出させて配置する。前記軸支部５３を介して揺動可能な調整用リンク５１の一端部は、リタードローラ１２の軸１３に設けた対応部材の下面に接する押圧部５２として構成され、他端部に設ける押圧板５５にスプリング５９による押圧作用が伝達される。
【００１６】
前記押圧力調整部材５０における調整用リンク５１と、押圧板５５およびスプリング等の調整部材は、図３に示すような構成の部材を組み合わせて設けているもので、調整用リンク５１の端部に接続される押圧板５５は、水平部材にねじ孔５７を設けている。前記押圧板５５はフレーム枠体３１の端部に設けた凹部としての切欠部３２に対応する部分で、フレームの端部立上り部３３の上部を折り返して構成した水平部３３ａの下面に位置され、調整孔３４とねじ孔５７とが重なるように配置される。前記調整孔３４とねじ孔５７とに対応させて設けるリタードピン５８は、下端部のねじ部を押圧板５５のねじ孔５７に装着され、フランジ５８ａの上に配置するスプリング５９が、前記フレームの水平部３３ａとの間に位置される。
【００１７】
前記図２に示すように調整用リンク５１と押圧板５５とを組み合わせ、スプリング５９を配置した押圧力調整部材５０に対して、図４に示すように、上部フレーム３を支軸４を介して開放することで、上カバー３５を露出させる。そして、中間フレーム３０の上カバー３５に設けた調整孔３６からドライバーのような工具を挿入し、リタードピン５８を押圧板５５のねじ孔５７に挿入する高さを調整する。したがって、前記フレームの上の水平部材３３ａに対して、リタードピン５８の高さを調整することにより、スプリング５９を伸縮させ、前記スプリング５９による押圧力を調整し、押圧板５５を介して調整用リンク５１の押上部５２が、リタードローラ１２の軸１３に対する押上作用を行わせる。
【００１８】
また、用紙さばき装置１０のローラ間に複数枚の用紙が入った時に、それ等の用紙に対するさばき作用を行う際に、セパレートローラ１１に対して、リタードローラ１２が押し下げられるような反力を受ける。そのような反力に対して、前記押圧力調整部材５０のねじ部材５８の高さを適宜調整することによりセパレートローラ１１とリタードローラ１２の間でのニップ圧力が一定の値に設定され、用紙さばき作用が良好に行われる。
【００１９】
前述したように、前記中間フレーム３０に対して、押圧力調整部材５０がトレイ側の端部にまで突出された位置に配置されていることで、前記自動原稿搬送装置１においては、上部フレーム３を支軸４を中心に開放させると、中間フレーム３０の上面が開放されて、調整孔３６から工具を挿入することができる。また、前記中間フレーム３０のトレイ側の端部に押圧力調整部材５０を設けたことにより、リタードピン５８が排出路２４の上面に突出されるという問題に対しては、中間フレーム３０を薄いものとして構成しても、排出ローラ装置２５により排出トレイ９２に向けて送り出される用紙に対して、リタードピン５８の突出端部が邪魔しないように、カバー部材３７をフレーム枠体３１の凹部としての切欠部３２に配置し、リタードピン５８の下端部が排出路２４に突出しないようにしている。
【００２０】
また、前記カバー部材３７は、フレーム枠体３１のトレイ側の用紙の巾方向中央部に位置され、排出される用紙の中央部付近に対して用紙を下向きに案内するものであり、前記カバー部材３７の下面に用紙の移動方向に下向きの斜面部３８を設けて、排出ローラ装置２５により排出される用紙を、前記斜面部３８に沿わせて下向きに案内し、排出トレイ９２に堆積させるようにする。そして、前記排出トレイ９２に排出される用紙が、Ｕ字型搬送路を通って湾曲されるような力が付与されていても、排出トレイ９２に向けて送り出される部分で、カバー部材３７の斜面部３８で下向きに案内されるので、排出される用紙の先端部が上に飛び跳ねたり、既に排出トレイ９２に堆積されている用紙を後で排出される用紙の先端部が押し退けたりするような不都合が生じることを防止できる。したがって、排出トレイ９２に多数枚の用紙が収容されているような状態でも、その上に排出される用紙は、カバー部材３７により案内されながら排出されるので、排出トレイ９２における用紙の収容性を良好に維持できることになる。また、前記カバー部材３７は、フレーム枠体３１の端部の中央部に位置され、排出される用紙の中央部付近に対して押圧作用を付与するものであり、フレーム枠体３１に対する装着部と用紙を案内するための斜面部の構成は、任意に設定が可能である。
【００２１】
前記押圧力調整部材５０において、調整用リンク５１と押圧板５５に対応させて配置するカバー部材３７を係止保持するために、複数の爪挿入孔５６、５６ａ、５６ｂと、ねじ孔５７を設けている。前記押圧板５５はフレーム枠体３１の端部に設けた凹部としての切欠部３２に対応する部分で、フレームの端部立上り部３３の上部を折り返して構成した水平部３３ａの下面に位置され、調整孔３４とねじ孔５７とが重なるように配置される。前記調整孔３４とねじ孔５７とに対応させて設けるねじ部材５８は、下端部のねじ部が押圧板５５のねじ孔５７に装着され、フランジ５８ａの上に配置するスプリング５９が、前記フレームの水平部３３ａとの間に位置される。
【００２２】
前記カバー部材３７を位置決めするために、カバー部材３７に設けた爪部材３９、３９ａ、３９ｂを、押圧板５５の爪挿入孔５６、５６ａ、５６ｂにそれぞれ挿入し、前記カバー部材３７を調整用リンク５１とともに上下動可能にする。また、前記カバー部材３７は、爪部材３９〜３９ｂの各々が押圧板５５の挿入孔５６〜５６ｂに対して上下方向に摺動可能に設けていることから、カバー部材３７の下面から押し上げるような力が付与された場合でも、調整用リンク５１を介しての軸１３に対する押圧作用には影響が生じない。
【００２３】
図４には中間フレーム３０の上カバー３５を外した状態の平面図を示しており、この図に示されるように、上カバー３５を取り外すことにより、中間フレーム３０のフレーム枠体３１に支持されるローラ部材とその支持機構が、全て露出される状態となる。前記中間フレーム３０に支持される搬送ローラ装置１５の駆動ローラ１７の軸１８と、排出ローラ装置２５の駆動ローラ２７の駆動軸２８とを、前記フレーム枠体３１の巾方向の両側に設けているフレーム立上り部７１を介してそれぞれ支持する。前記フレーム枠体３１の内部の一方の側には、伝導用リンク４０と駆動伝達ギヤ群４２とを配置し、前記伝導ギヤ群４２からリタードローラ１２に伝達される駆動力は、トルクリミッター６３を介してリタードローラ１２の軸１３に伝達される。
【００２４】
前記中間フレーム３０のフレーム枠体３１の他方に設けるフレーム立上り部７１には、駆動ローラ１７の軸１８と排出ローラ装置の駆動ローラ２７の軸２８との間に、伝導ギヤ群７０を配置している。そして、前記伝導ギヤ群７０により排出ローラ装置２５に対する駆動伝達を行い、送られてきた用紙を排出トレイ９２に向けて送り出すようにする。したがって、前記上カバー３５を取り外してフレーム枠体３１の内部の機構を露出させた状態で、中間フレーム３０に配置されるローラ部材や駆動伝達機構に対するメンテナンス等を容易に行うことができる。
【００２５】
図５には、前記図４に示したように、中間フレーム３０のフレーム枠体３１の中央部に、リタードローラ１２を含むリタードローラユニット６０を配置した構成を示している。この例に示すリタードローラユニット６０は、リタードローラ１２と軸１３および、前記軸１３の両端部に配置する軸受６１、６１ａと、ユニット６０の着脱用のハンドル６６を一体のものとして構成している。なお、前記図４では、リタードローラユニット６０の着脱に用いるハンドル６６を仮想線で示しているが、それは、図面が繁雑になることがないようにするためであり、実際には、図５に示すようにハンドル６６が配置される。
【００２６】
前記中間フレーム３０に配置されるリタードローラ１２は、軸１３の両端部に設けている軸受６１、６１ａを中間フレーム３０の本体に設けた軸支部材４８、４８ａに支持するもので、前記軸支部材４８、４８ａには上向きのＵ字状の溝を持つ軸支部が形成されていて、前記軸１３を上に持ち上げるようにすると、容易に軸支部材４８……から軸１３を着脱できる。なお、前記軸支部材４８……に設ける軸支溝は、軸１３の上下動を許容できるように深い縦溝状に形成されており、前記溝に案内される軸１３が、セパレートローラ１１の軸との間で軸芯が一致するように設けている。なお、前記フレーム枠体３１に支持されるリタードローラ１２の軸１３は、伝導用リンク４０の端部に図２に示される支持機構を介して支持されるもので、前記軸１３の下部には調整用リンク５１が位置されて、押圧力調整部材により軸１３を上に向けて付勢されるが、上カバー３５の着脱やリタードローラユニット６０の着脱によっても、用紙さばき装置でのニップ圧力の設定には影響されないようになっている。
【００２７】
前記リタードローラユニット６０を着脱する際には、図６に示すようにして中間フレーム３０の上カバー３５を取り外すことにより、フレーム枠体３１に支持されるローラ部材が露出されるので、前記リタードローラユニット６０のハンドル６６を手で持ち上げて外すことができる。前記リタードローラユニット６０においては、中間リンク６５に前記ハンドル６６を一体に設け、前記リンク６５の下部に設けている軸支部６８を、伝導用リンク４０の端部に設けたピン４５に係止させている。図４、５にも示されているように、伝導用リンク４０の端部にはそれぞれピン４５、４５ａを突出させて設けていて、前記ピン４５……を中間リンク６５の軸支部６８に係止させて、前記２つのリンク４０、６５を接続することができる。
【００２８】
前記伝導用リンク４０の端部に設けているピン４５に対して、中間リンク４０の軸支部６８が着脱可能に構成されているもので、図６の仮想線で示されているように、装置を作動状態に設定している状態では、ピン４５は軸支部６８から外れないように保持される。つまり、前記軸支部６８の開口６９は、ピン４５の径よりも狭い巾Ｗに設定されていて、リタードローラユニット６０を持ち上げて、伝導用リンクを軸１８に対する軸支部４１を介して所定の角度揺動させると、ピン４５に設けたＤカット部４６が前記中間リンク６５の軸支部６８の開口６９の巾Ｗにほぼ一致する。そして、前記ユニット６０のハンドル６６を介して矢印Ａ方向に移動させることにより、中間リンク６５の軸支部６８をピン４５から容易に取り外すことができる。また、前記リタードローラユニット６０を伝導用リンク４０に再び装着する際には、前記伝導用リンク４０の端部を手で少しだけ持ち上げてから、ピン４５のＤカット部４６を、中間リンク６５の軸支部６８の開口６９に挿入することで、伝導用リンク４０と中間リンク６５とを組み合わせ、伝導用リンク４０を下降させることにより、リタードローラ１２に対する駆動伝導が作動位置に戻される。
【００２９】
図７に示す例は、上部フレーム３を開放させた状態を示しているもので、前記上部フレーム３を開いた状態では、中間フレーム３０の上面が開放されて、調整孔３６から工具を挿入してニップ圧力の調整等の作業を行うことができる。また、前記中間フレーム３０は、搬送ローラ装置１５の駆動ローラ１７の軸１８を介して揺動可能に設けられていることから、中間フレーム３０の下部の用紙搬送路を容易に開放して、ジャム処理の作業等を容易に行うことができる。そして、前記上部フレーム３と中間フレーム３０を各々開放した後で、前記各揺動フレーム３０、３を再び閉じた時に、開放した各フレーム３、３０を閉じた位置に固定することにより、用紙搬送路に配置する各ローラ装置の駆動ローラとピンチローラの間の位置決めと、ローラ装置におけるニップ圧力の設定を容易に行うことができる。したがって、前記図７に示すようにして、上部フレーム３を開いて中間フレーム３０の上面を露出させ、上カバー３５を取り外した状態で、前記図６に示したように、リタードローラユニット６０を中間フレーム３０の支持部から取り外すことができる。
【００３０】
図８に示す例は、画像形成装置と一体に設けた読取装置８０の構成を示すもので、走査部フレーム８１には、走査装置８３を設けている。前記走査装置８３は、従来より一般に知られている複写機の走査装置に用いられている装置と同様に、ランプ８４ａと１つのミラーｍ１を設けたフルレートキャリッジ８４と、２つの対向するミラーｍ２、ｍ３を配置するハーフレートキャリッジ８５とを組み合わせて設けている。そして、原稿の読取り情報をレンズ装置８８を介してＣＣＤ８９に伝達し、光信号を電気信号に変換して画像形成装置の画像情報処理部に伝達するように構成している。前記走査装置８３においては、フルレートキャリッジ８４とハーフレートキャリッジ８５とを駆動するために、径が２：１に設定された駆動プーリ８６、８６ａを同軸に配置し、各々の駆動プーリに巻き掛けたワイヤ８７、８７ａを介して、２つのキャリッジを各々連動させて移動させる機構を設けている。
【００３１】
前記フレーム８１の上部には、ブックものの原稿を載置し、ＦＢＳ（フラットベッドスキャナー）としての動作に対応させるプラテン８２と、ＡＤＦ（自動原稿搬送装置）に対応させて、原稿搬送部の下部に配置するプラテン２３とを設けている。前記プラテン８２に対しては、上部開閉フレーム９０を開いて原稿をセットし、前記上部開閉フレーム９０を閉じることにより、プラテンカバー９３がプラテン８２の上面に原稿の画像面を押圧し、セットした原稿の走査を行う。そして、前記プラテン８２にセットした原稿に対しては、図示を省略したセンサの検知情報に応じて、走査装置８３のフルレートキャリッジ８４が原稿の走査方向の長さだけ往復移動し、ハーフレートキャリッジ８５が前記フルレートキャリッジの半分の速度で移動しながら画像情報の読取りを行い、ＣＣＤ８８を介して画像信号を出力する。また、原稿トレイ９１を用いてシートものの原稿の走査を行う際には、ＡＤＦとしての原稿搬送部に設けた搬送路を通して原稿を搬送しながら、プラテン２３の部分に走査装置を固定する状態で、画像の読取りの動作を行う。
【００３２】
前記読取装置８０を用いて、原稿トレイ９１にセットした原稿の走査を行う際には、原稿を原稿トレイ９１にセットしたことを、図示を省略した検知手段の検知信号により制御装置を作動させること、またはコントロールパネルに原稿搬送部を用いた走査を行う指令を入力することにより行う。そして、前記読取り指令の信号に応じて、走査装置８３のフルレートキャリッジ８４をプラテン２３に対応する位置に停止させ、ハーフレートキャリッジ８５を走査部フレーム８１の左側の端部にまで移動させ、原稿トレイ９１から原稿を１枚ずつＵ型搬送路内へ搬送し、プラテン２３の部分で原稿の画像の読取りを行う。したがって、前記走査部フレーム８１に配置する走査装置８３においては、２つのプラテン８２、２３に対応させて走査装置をセットし、任意の原稿に対する読取りの動作を行うことができ、ファクシミリ装置の送信機能を利用して画像情報を送信すること、または、複写機の機能を利用して記録紙に印字することができる。
【００３３】
なお、前記実施例に示される自動原稿搬送装置１を単独で用いる場合、および、前記自動原稿搬送装置とＦＢＳとを一体化して構成する読取装置は、それを単独で読取装置として構成することができる。また、一般的には、画像形成装置に一体に組み合わせて設ける原稿読取り手段として、または、ファクシミリ装置の読取装置として用いることができ、用紙搬送装置のメンテナンス等を容易に行うことができる。
【００３４】
【発明の効果】
本発明の装置は、前述したように構成したものであるから、中間フレームの上カバーを、フレーム枠体から着脱可能に設けたことにより、中間フレームの上カバーを容易に取り外すことができ、上カバーを外した状態でリタードローラの着脱作業を行うことができる。また、中間フレームには、前記リタードローラと搬送ローラ装置の駆動ローラと、排出ローラ装置の駆動ローラとを有し、前記各ローラは、フレーム枠体に支持されるので、中間フレームに配置される駆動ローラ部材がフレーム枠体に支持されていることから、上カバーの着脱を容易に行うことができる。さらに、リタードローラは、中間フレームに設ける支点を中心にして揺動する揺動ブラケットに支持され、前記リタードローラを前記揺動ブラケットに対して着脱可能に設けたことにより、リタードローラを中間フレームの上側から容易に取付・取外しが可能である。
【図面の簡単な説明】
【図１】  自動原稿搬送装置の構造を示す説明図である。
【図２】  図１に配置する中間フレームの構成の説明図である。
【図３】  中間フレームの端部に配置する押圧力調整部材の説明図である。
【図４】  中間フレームのフレーム枠体に配置するローラ部材の説明図である。
【図５】  リタードローラユニットの構成を示す説明図である。
【図６】  上部フレームを開放して調整手段を露出させた状態の説明図である。
【図７】  リタードローラユニットを中間フレームから取り外す例の説明図である。
【図８】  図１の機構を組み込んだ画像読取装置の説明図である。
【符号の説明】
１    自動原稿搬送装置、  ２    基部フレーム、  ３    上部フレーム、
４    支軸、  ５    ピックアップローラ、  １０    用紙さばき装置、
１１    セパレートローラ、  １２    リタードローラ、  １４    搬送路、
１５    搬送ローラ装置、  １６    ピンチローラ、  ２０    湾曲路、
２１    大径駆動ローラ、  ３０    中間フレーム、
３１    フレーム枠体、  ３５    上カバー、  ４０    伝導用リンク、
４１    軸支部、  ４２    伝導ギヤ群、  ４５    ピン、
４６    Ｄカット部、  ４８    軸支部材、  ５０    押圧力調整部材、
５１    調整用リンク、  ５５    押圧板、  ５８    リタードピン、
５９    スプリング、  ６５    中間リンク、  ６６    ハンドル、
７０    伝導ギヤ群、  ８０    読取装置、  ８２    プラテン、
８３    走査装置、  ８４    フルレートキャリッジ、
８５    ハーフレートキャリッジ、  ８８    レンズ、  ８９    ＣＣＤ、
９１    原稿トレイ、  ９２    排出トレイ。
【図１】
0003921895.tif 000002
【図２】
0003921895.tif 000003
【図３】
0003921895.tif 000004
【図４】
0003921895.tif 000005
【図５】
0003921895.tif 000006
【図６】
0003921895.tif 000007
【図７】
0003921895.tif 000008
【図８】
0003921895.tif 000009